(57)【要約】【課題】球貸ボタンを視認することなくブラインドタッチで押込み操作することができるようにしたパチンコ機を提供することである。【解決手段】下皿９の上側に設けられた上皿６の下部に延出部１８ａを設け、その延出部１８ａの内側面２２と下皿９に形成された貯留凹部１２の内側面２３とが連続する部位に、周壁１１の内側面２３に軽くタッチして上方に移動させることにより感触的に探し当てることのできる段差部２４を設ける。下皿９の周壁１１の上面には上記段差部２４に近接して球貸ボタン２７を設けるようにして、その球貸ボタン２７をブラインドタッチにより操作できるようにする。【選択図】図３
2011224304.tif 000002
【特許請求の範囲】
【請求項１】
遊技球を貯留する上皿と、その上皿の下方に設けられた下皿を有し、前記上皿から抜き取られて下方に流れ落ちる遊技球や上皿からオーバーフローする遊技球を下皿で受け取って貯留するようにしたパチンコ機において、
前記上皿の下部に下方に延びて、その内側面が下皿に形成された貯留凹部の周壁の内側面に連続する延出部を設け、その延出部の内側面と前記周壁の内側面とが連続する部位に段差部を設け、その段差部に近接する部位に球貸ボタンを設けたことを特徴とするパチンコ機。
【発明の詳細な説明】
【技術分野】
【０００１】
この発明は、球貸ボタンの押込み操作によって遊技球の貸し出しが行なわれるようにしたパチンコ機に関する。
【背景技術】
【０００２】
プリペイドカードユニットに形成されたカード挿入口にプリペイドカードを挿入して遊技を行なうＣＲパチンコ機においては、球貸ボタンとカード返却ボタンが設けられており、その球貸ボタンを押込み操作することにより、遊技球の貸し出しが行なわれ、カード返却ボタンを押し込むことによってプリペイドカードが返却されるようになっている。
【０００３】
球貸ボタンやカード返却ボタンを備える上記のようなパチンコ機においては、操作性および視認性を考慮して、パチンコ機の前面下部に球貸ボタンやカード返却ボタンを設けているのが一般的である。
【０００４】
例えば、特許文献１に記載されたパチンコ機においては、前面枠の前側に開閉可能なガラス収納枠と、その下側に開閉可能な上皿ユニットを設け、上記上皿ユニットの一側上部に球貸ボタンとカード返却ボタンを左右方向に間隔をおいて設けている。
【０００５】
また、特許文献２に記載されたパチンコ機においては、外枠に対して開閉可能な一対の意匠枠を上下に配置し、その下部意匠枠に上皿と下皿を設け、その下皿の上面に球貸ボタンとカード返却ボタンを設けている。
【先行技術文献】
【特許文献】
【０００６】
【特許文献１】特開２００２−２２４３７７号公報
【特許文献２】特開２００９−１１６６１号公報
【発明の概要】
【発明が解決しようとする課題】
【０００７】
一般に、遊技者は、液晶表示装置等の図柄表示装置を注視する状態で右手でハンドル操作を行い、上記図柄表示装置に特別図柄が揃う大当たりの遊技状態を除く通常の遊技状態では、下皿に左手を置いてパチンコ遊技を行なう傾向が強い。
【０００８】
このため、特許文献１に記載のパチンコ機のように、上皿ユニットの一側上部に球貸ボタンを設けた構成であると、その球貸ボタンと下皿との間に大きな間隔があるため、手探りによって球貸ボタンを探し当てるのが困難である。このため、球貸ボタンを押込み操作する場合、図柄表示装置から目を離し、球貸ボタンの位置を視認した状態で、その球貸ボタンを押込み操作する必要が有り、操作性が悪いという問題がある。
【０００９】
一方、特許文献２に記載のパチンコ機においては、下皿上に球貸ボタンが設けられているため、特許文献１に比較して、手探りによって球貸ボタンを探し当てるのが容易であるように見受けられるが、その球貸ボタンの近接部位に遊技ボタンが設けられているため、手探りによって球貸ボタンを確実に探し当てることができない。このため、特許文献１と同様に、図柄表示装置から目を離し、球貸ボタンの位置を視認した状態で、その球貸ボタンを押込み操作する必要が有り、操作性が悪いという問題がある。
【００１０】
この発明の課題は、球貸ボタンを視認することなくブラインドタッチで押込み操作することができるようにしたパチンコ機を提供することである。
【課題を解決するための手段】
【００１１】
上記の課題を解決するために、この発明においては、遊技球を貯留する上皿と、その上皿の下方に設けられた下皿を有し、前記上皿から抜き取られて下方に流れ落ちる遊技球や上皿からオーバーフローする遊技球を下皿で受け取って貯留するようにしたパチンコ機において、前記上皿の下部に下方に延びて、その内側面が下皿に形成された貯留凹部の周壁の内側面に連続する延出部を設け、その延出部の内側面と前記周壁の内側面とが連続する部位に段差部を設け、その段差部に近接する部位に球貸ボタンを設けた構成を採用したのである。
【００１２】
ここで、段差部の形成に際しては、延出部の内側面の下端を下皿に形成された貯留凹部の周壁の左側の内側面の上端に対して内方に位置をずらすようにしてもよく、あるいは、延出部の内側面の下端と下皿に形成された貯留凹部の周壁内側面の上端の少なくとも一方に前後方向に延びるリブを設けるようにしてもよい。また、上記延出部における内側面の下端と上記貯留凹部における内側面の上端間に間隙を形成し、その間隙を段差部としてもよい。
【発明の効果】
【００１３】
この発明においては、上記のように、上皿の下部に下方に延びて、その内側面が下皿に形成された貯留凹部の周壁の内側面に連続する延出部を設け、その延出部の内側面と前記周壁の内側面とが連続する部位に段差部を設けたことにより、下皿に左手を置き、その左手を貯留凹部の周壁内面に沿って上方に移動させることにより、段差部を指先で感触的に探し当てることができる。そして、その段差部に近接する部位に球貸ボタンを設けているため、球貸ボタンをブラインドタッチで押込み操作することができる。
【図面の簡単な説明】
【００１４】
【図１】この発明に係るパチンコ機の実施の形態を示す正面図
【図２】図１に示すパチンコ機の斜視図
【図３】図２の上皿と下皿の一部を示す斜視図
【図４】図３の一部切欠左側面図
【図５】段差部の他の例を示す斜視図
【図６】段差部のさらに他の例を示す斜視図
【発明を実施するための形態】
【００１５】
以下、この発明の実施の形態を図面に基づいて説明する。図１および図２に示すように、パチンコ機は、縦長な矩形状に枠組みされた外枠１を有し、その外枠１の一側上下部に一対のヒンジ２、２が設けられ、そのヒンジ２によって外枠１の前側に配置された中枠３の一側部が開閉自在に支持されている。
【００１６】
中枠３の前側には、前面枠４が設けられている。前面枠４は、透明板４ａと、その透明板４ａの外周囲を覆う化粧縁枠４ｂを有している。この前面枠４は、その一側部が中枠３の一側上下部に設けられたヒンジ５により支持されて開閉自在とされ、閉鎖状態において中枠３の前面を覆うようになっている。
【００１７】
前面枠４の前側下部には、上皿６が設けられている。上皿６の下方には下皿ユニット７が設けられている。下皿ユニット７は、左右方向の幅寸法が中枠３の左右方向に幅寸法より少し小さな下皿基板８に下皿９を設けた構成とされ、上記下皿基板８が中枠３の前側下部に取付けられて、下皿９が上皿６の下方に配置されている。
【００１８】
下皿９は、下皿基板８の前面から前側に張り出す底板１０の外周に周壁１１を設けた構成とされ、その周壁１１の内側が貯留凹部１２とされ、この貯留凹部１２において上皿６から抜き取られて下方に流れ落ちる遊技球や上皿６からオーバーフローする遊技球が貯留されるようになっている。
【００１９】
図１に示すように、周壁１１の左右両端部には上方に張り出す膨出部１１ａ、１１ｂが設けられ、その左側膨出部１１ａの上側前部に、図４に示すように、その前側から後側に向けて上り勾配をもって傾斜する湾曲面１３と、その湾曲面１３の後端から後方に延びる平坦な上面１４とが形成され、上記上面１４は、図１に示すように、右側膨出部１１ｂの上側に形成された平坦な上面１５と同一面を形成している。
【００２０】
下皿基板８の右側部には発射ハンドル１６が取付けられ、その発射ハンドル１６に設けられた発射レバー１７を回動操作することにより、上皿６に貯留されている遊技球が図示省略した球送り機構を介して発射装置に送り込まれた後、中枠３に支持された図示省略の遊技盤の遊技領域内に発射されるようになっている。
【００２１】
図１に示すように、上皿６の下部には、左右両側部から下方に延びる延出部１８ａ、１８ｂが設けられ、その右側延出部１８ｂの下面１９は、下皿９の右側膨出部１１ｂの上面１５と略同一形状で略同一大きさとされて、その上面１５と微小な間隔をおいて上下で対向している。
【００２２】
図３および図４に示すように、左側延出部１８ａの前側には、後方に向けて下り勾配をもって傾斜して下皿９の左側膨出部１１ａの湾曲面１３と滑らかに連続する湾曲面２０が形成され、その湾曲面２０の下端から後方に延びる平坦な下面２１は左側膨出部１１ａの上面１４と略同一形状で略同一大きさとされて、その上面１４と微小な間隔おいて上下で対向している。
【００２３】
また、図３に示すように、左側延出部１８ａの内側面２２は、左側膨出部１１ａの内側面２３と連続し、その連続する部位に段差部２４が形成されている。段差部２４の形成に際し、ここでは、左側延出部１８ａの内側面２２の下端を左側膨出部１１ａの上端に対して内方に位置をずらすようにしているが、図５に示すように、左側膨出部１１ａの内側面２３の上端に前後方向に延びるリブ２５を設け、そのリブ２５の下面を段差部２４としてもよい。あるいは、図６に示すように、左側延出部１８ａの内側面２２の下端部に前後方向に延びるリブ２６を設け、そのリブ２６の下面を段差部２４としてもよい。また、図では省略したが、左側延出部１８ａにおける内側面２２の下端と左側膨出部１１ａにおける内側面２３の上端間に間隙を形成し、その間隙を段差部としてもよい。
【００２４】
図３および図４に示すように、下皿９の左側膨出部１１ａに形成された湾曲面１３には、上記段差部２４と近接する部位に球貸ボタン２７とカード返却ボタン２８が左右方向に間隔をおいて設けられている。
【００２５】
球貸ボタン２７は、湾曲面１３に形成されたボタン挿入孔２９内にスライド自在に挿入され、リターンスプリング３０により上方に付勢されて、その上側がボタン挿入孔２９の上側開口から上方に位置する状態で上方に抜け出るのが防止されるようになっている。一方、カード返却ボタン２８も球貸ボタン２７と同様の支持とされているため、詳細を省略している。
【００２６】
ここで、パチンコ機の一側には、図１に示すようにプリペイドカードユニットＵが設けられる。そのプリペイドカードユニットＵに形成されたカード挿入口ａにプリペイドカードを挿入する状態で球貸ボタン２７を押し込むと、スイッチが入り、上皿６に所定量の遊技球が貸し出されるようになっている。一方、カード返却ボタン２８を押し込むと、カード挿入口ａからプリペイドカードが返却されるようになっている。
【００２７】
実施の形態で示すように、上皿６の下部に設けられた左側延出部１８ａの内側面２２と下皿９に設けられた周壁１１の左側膨出部１１ａの内側面２３とが連続する部位に段差部２４を設けることによって、下皿９に左手を置き、その左手を周壁１１に沿って上方に移動させることにより、指先が段差部２４に当接して、その段差部２４を感触的に探し当てることができる。このとき、段差部２４に近接する部位に球貸ボタン２７が設けられているため、球貸ボタン２７をブラインドタッチで押込み操作することが可能となり、画像表示装置を注視する状態で遊技球の貸し出し操作を行なうことができる。
【００２８】
なお、実施の形態では、上皿６の下部に設けられた左側延出部１８ａの内側面２２と下皿９に設けられた周壁１１の左側膨出部１１ａの内側面２３とが連続する部位に段差部２４を設けるようにしたが、上皿６の下部に設けられた右側延出部１８ｂの内側面と下皿９に設けられた周壁１１の右側膨出部１１ｂの内側面とが連続する部位に段差部を設けるようにし、その段差部に近接する部位に球貸ボタンを設けるようにしてもよい。
【符号の説明】
【００２９】
６・・・上皿、９・・・下皿、１８ａ・・・延出部、２２・・・内側面、２３・・・内側面、２４・・・段差部、２７・・・球貸ボタン
【図１】
2011224304.tif 000003
【図２】
2011224304.tif 000004
【図３】
2011224304.tif 000005
【図４】
2011224304.tif 000006
【図５】
2011224304.tif 000007
【図６】
2011224304.tif 000008